(57)【要約】【課題】  剥がれにくさおよび再装着性の少なくとも一方を改善した電子機器用の携帯ケースを提供する。【解決手段】  電子機器用の携帯ケースは、電子機器の少なくとも一部を収容する収容部１１０と、体表面に取り付けるための粘着面を有する、収容部とは別個の体表面装着部２００とからなる。収容部１１０を体表面装着部２００に取り付けることにより、電子機器を体表面に取り付ける。【選択図】  図１
2015134113.tif 000002
【特許請求の範囲】
【請求項１】
電子機器を体表面に取り付けるための電子機器用の携帯ケースであって、
前記電子機器の少なくとも一部を収容するための収容部と、
前記体表面に取り付けるための粘着面を有する、前記収容部とは別個の体表面装着部と、を有し、
前記収容部を前記体表面装着部に取り付けることにより、前記電子機器を体表面に取り付けるように構成されたことを特徴とする電子機器用の携帯ケース。
【請求項２】
前記収容部を前記体表面装着部に取り付ける際に対向する面の少なくとも一方に設けた粘着剤によって前記収容部を前記体表面装着部に取り付ける構成を有することを特徴とする請求項１記載の電子機器用の携帯ケース。
【請求項３】
前記収容部を前記体表面装着部に取り付ける際に対向する面が機械的に係合することによって前記収容部を前記体表面装着部に取り付ける構成を有することを特徴とする請求項１記載の電子機器用の携帯ケース。
【請求項４】
前記収容部を前記体表面装着部に取り付ける際に対向する面のそれぞれの少なくとも一部が面ファスナーとして機能するように構成されることを特徴とする請求項３記載の電子機器用の携帯ケース。
【請求項５】
前記収容部を前記体表面装着部に取り付ける際に対向する面の少なくとも一方の少なくとも一部が吸着フィルムによって形成されることを特徴とする請求項１記載の電子機器用の携帯ケース。
【請求項６】
前記体表面装着部の、前記収容部を取り付け可能な部分が、前記収容部の、前記体表面装着部に取り付け可能な部分よりも大きいことを特徴とする請求項１乃至５のいずれか１項に記載の電子機器用の携帯ケース。
【請求項７】
前記収容部が、周縁部が複数箇所で接着された複数のフィルム状部材から構成され、前記接着された領域が、前記収容部の内側に凸となるように形成されることを特徴とする請求項１乃至６のいずれか１項に記載の電子機器用の携帯ケース。
【請求項８】
前記接着された領域が、少なくとも前記収容部の底部に設けられることを特徴とする請求項７記載の電子機器用の携帯ケース。
【請求項９】
前記収容部が底部に少なくとも１つの穴を有し、
防水型の電子機器に用いられることを特徴とする請求項７または８記載の電子機器用の携帯ケース。
【発明の詳細な説明】
【技術分野】
【０００１】
本発明は、電子機器を被検者に装着するために用いられる、電子機器用の携帯ケースに関する。
【背景技術】
【０００２】
従来、ホルタ心電計、テレメータ送信器、睡眠時無呼吸障害の携帯型検査器など、被検者の生体情報を取得する携帯型医療電子機器が知られている。これらの携帯型医療電子機器の使用時には、生体情報を検出したり測定したりするために体表面の特定部位に装着された検出電極やセンサがケーブルやコードによって接続される。使用中にケーブルやコードが引っ張られると電極やセンサが外れたり、生体信号にノイズが重畳したりして、安定した検出や測定が妨げられる原因となる。
【０００３】
そのため、医療電子機器を固定するための携帯ケースが用いられている。特に、使用中の着替えや入浴などが考えられる場合には、医療電子機器を体表面に固定するための携帯ケースが用いられる（特許文献１）。
【先行技術文献】
【特許文献】
【０００４】
【特許文献１】特開２００９−５０４０２号公報
【発明の概要】
【発明が解決しようとする課題】
【０００５】
しかしながら、特許文献１に記載された携帯ケースは、粘着テープを用いて体表面に貼り付ける構成のため、装着部位の発汗や体動によって剥がれることがあった。また、一度剥がれてしまうと、粘着テープの粘着力が低下したり、体表面に水分が残っていたりして、再度貼り付けることが難しい場合があった。
【０００６】
本発明はこのような従来技術の課題に鑑みなされたものであって、電子機器を体表面に取り付けるための電子機器用の携帯ケースにおいて、剥がれにくさおよび再装着性の少なくとも一方を改善することを目的とする。
【課題を解決するための手段】
【０００７】
上述の目的は、電子機器を体表面に取り付けるための電子機器用の携帯ケースであって、電子機器の少なくとも一部を収容するための収容部と、体表面に取り付けるための粘着面を有する、収容部とは別個の体表面装着部と、を有し、収容部を体表面装着部に取り付けることにより、電子機器を体表面に取り付けるように構成されたことを特徴とする電子機器用の携帯ケースによって達成される。
【発明の効果】
【０００８】
このような構成により、本発明によれば、電子機器を体表面に取り付けるための電子機器用の携帯ケースにおいて、剥がれにくさおよび再装着性の少なくとも一方を改善することができる。
【図面の簡単な説明】
【０００９】
【図１】本発明の実施形態に係る電子機器用の携帯ケースの構造を模式的に示す図である。
【図２】実施形態に係る電子機器用の携帯ケースの使用時の状態を模式的に示す図である。
【図３】本発明の別の実施形態に係る電子機器用の携帯ケースの構造を模式的に示す図である。
【発明を実施するための形態】
【００１０】
以下、図面を参照して本発明の例示的な実施形態について詳細に説明する。なお、以下では、本発明を、被検者の体表面に取り付ける電子機器の一例としての、生体情報を取得する医療電子機器である防水型のホルタ心電計を対象とした、使い捨て型携帯ケースに適用した例について説明する。しかしながら、本発明は使い捨て型以外の携帯ケースにも適用可能であるし、収容する電子機器についても特に制限はない。例えば活動量計や歩数計を始め、体表面に取り付ける必要がある任意の電子機器の携帯ケースに適用可能である。
【００１１】
図１は、本発明の実施形態に係る電子機器用の携帯ケースの一例としての、防水型のホルタ心電計用の使い捨て型携帯ケースの構造を模式的に示す図である。図１において、（ａ）および（ｂ）はケース本体の外観斜視図を、（ｃ）はケース本体と組み合わせて用いる装着部材の上面図をそれぞれ示す。
【００１２】
本実施形態の電子機器用の携帯ケースは、電子機器の少なくとも一部を収容するためのケース本体１００と、収容部１１０とは別個の、体表面に装着するための体表面装着部２００との組み合わせから構成され、ケース本体１００を体表面装着部２００に取り付ける構造を有することを特徴とする。
【００１３】
まず、ケース本体１００について説明する。ケース本体１００は、電子機器を収容する袋状の収容部１１０と、収容部１１０に通された、伸縮性を有するベルト１０３とから構成される。収容部１１０は、四隅に切り欠きを有する矩形状のフィルム状部材（以下、単にフィルムという）１０１，１０２を、周縁部の複数箇所で接着することにより形成されている。フィルム１０１，１０２のうち、使用時に被検者の体表面側に位置する一方（図１ではフィルム１０２）は、他方（フィルム１０１）よりも濡れ性が低い物質（もしくは濡れ性を低下させる、マット加工などの表面加工がなされた材料）で形成され、体表面と接しても貼り付きにくくしている。また、使用時に体表面側に位置しないフィルム１０１については、収容した電子機器が有する表示部などの表示が見えやすいよう、透明性の高い材料を用いている。
【００１４】
フィルム１０１，１０２を接着する方法に制限はないが、例えば溶着を用いることができる。本実施形態では、接着された領域（接着部）１２０が収容部１１０の内側に凸となるように収容部１１０を形成する。
【００１５】
このように形成することで、接着に必要な領域を、収容される電子機器と収容部１１０の内壁との間に間隙を形成するためのリブとして利用することができ、例えば入浴時などに電子機器と収容部１１０との間に水が侵入したままになることを防止できる。特に底面に存在する接着部を内側に凸となるように形成すると効果が大きい。
【００１６】
また、接着部１２０は２枚のフィルム１０１，１０２が重なった端部であるため、硬く、肌触りが悪い。従って、接着部１２０が収容部１１０の内側を向くようにフィルム１０１，１０２を接着することで、接着部１２０が体表面に当たって被検者を不快にさせることも防止できる。
【００１７】
本実施形態においては、防水型のホルタ心電計を想定した携帯ケースであるため、収容部１１０の底部の角と、中央にそれぞれ排水用の穴１４０が設けられている。これらの穴１４０は、フィルム１０１，１０２の切り欠き部分を接着しないことによって形成される。
【００１８】
収容部１１０の口１３０には、収容された電子機器の飛び出しを防止するための蓋部１０１３，１０２３が設けられている。蓋部１０１３，１０２３には例えば面ファスナーが設けられ、開閉可能に構成されている。例えば、蓋部１０１３，１０２３の一方を内側に折り曲げ、他方をその上に折り曲げることで面ファスナーを係合させ、口１３０の一部を閉じ、収容された電子機器の飛び出しを防止する蓋を形成する。また、収容された電子機器を取り出す場合には蓋部１０１３，１０２３の面ファスナーを離合させる。
【００１９】
収容部１１０を形成するフィルム１０１，１０２のうち、使用時に被検者の体表面側（体表面装着部２００に対向する側）に位置する一方（図１ではフィルム１０２）には、収容部１１０を体表面装着部２００に取り付けるための構造として、平面状の第１の取付部材１０２１が例えば粘着剤によって設けられている。第１の取付部材１０２１は、収容部１１０を体表面装着部２００に取り付けるための構造として体表面装着部２００に設けられた第２の取付部材２０３に取り付けられる。
【００２０】
第１の取付部材１０２１には、ベルト１０３を収容部１１０に通すためのスリット１０２２が２箇所に設けられている。スリット１０２２は取付部材１０２１と収容部１１０とを貫通するように設けても良いし、第１の取付部材１０２１のみを貫通するように設けても良い。本実施形態では、第１の取付部材１０２１と収容部１１０の両方を貫通するようにスリット１０２２が設けられ、ベルト１０３が収容部１１０の内側を通るように構成されているものとする。
【００２１】
ベルト１０３の一端１０３２はループ状に形成され、他端に取り付けられたフック１０３を引っかけることができるように構成されている。ベルト１０３を例えば被検者の胴まわりに取り付けることで、仮に収容部１１０が体表面装着部２００から外れた場合でも収容部１１０が落下することを防止できる。
【００２２】
次に、体表面装着部２００について説明する。体表面装着部２００は、透湿性を有し、柔軟な不織布等の基材に粘着剤を塗布した粘着シート２０２と、粘着シート２０２の上に必要に応じて例えば粘着剤等によって設けられる第２の取付部材２０３と、粘着シート２０２の粘着面を保護する剥離シート２０１とから構成される。
【００２３】
角部が丸く形成された矩形状の粘着シート２０２は、体表面に貼り付けられる粘着面と、その裏面である、収容部１１０が取り付けられる面とを有する。粘着シート２０２は、第２の取付部材２０３（もしくは、体表面装着部２００の、収容部１１０を取り付け可能に構成された部分）よりも大きく形成することで、収容部１１０を取り付けた際に粘着シート２０２に加わる力が、剥がれやすい角部に集中することを防止できる。
【００２４】
上述したように、本実施形態の電子機器用の携帯ケースは、収容部１１０を直接体表面に取り付けるのではなく、収容部１１０とは別個の体表面装着部２００を介して取り付ける構成を有することを特徴とする。従って、体表面に対する接着性は体表面装着部２００の粘着シート２０２の粘着面によって実現され、収容部１１０と体表面装着部２００とを取り付ける構造については、両者の接着性を優先して決定することができる。
【００２５】
例えば、接着性は非常によいが、体表面に直接使用することができないような粘着剤を用いた粘着テープを第１の取付部材１０２１に用いることが可能になる。また、体表面との接着性は良くないが、第２の取付部材２０３との接着性がよい構成（例えば面ファスナーやホックのように機械的に係合する構成）も用いることができるようになる。
【００２６】
このように、体表面との接着性については体表面装着部２００の粘着シート２０２で実現することにより、収容部１１０を体表面装着部２００に取り付ける構成（第１および第２の取付部材１０２１および２０３を用いる場合にはそれらの組み合わせ）を柔軟に選択することが可能になる。
【００２７】
また、収容部１１０を粘着テープで体表面に直接取り付ける従来構成では、使用可能な粘着テープの面積が収容部１１０の体表面と対向する面の大きさよりも小さくする必要があった。これに対し、本実施形態の構成ではそのような制限は無く、収容部１１０の体表面と対向する面より大きな粘着シート２０２を用いることが可能であるため、従来よりも体表面に対する接着性を高めることができる。また、仮に体表面装着部２００が剥がれてしまった場合や、被検者が体表面装着部２００を剥がして身体を洗いたい場合などであっても、体表面装着部２００を新しいものに替えるだけでよい。
【００２８】
上述したように、本実施形態の構成では、収容部１１０を体表面装着部２００に取り付ける構成に様々な構成を採用することができるが、そのいくつかの例についてさらに説明する。これらは単なる例示であり、各構成に含まれる他の具体例や、他の構成の使用を除外するものではない。
【００２９】
（１）粘着剤を用いる構成
第１および第２の取付部材１０２１および２０３を用いる場合、例えば両面粘着テープを用いることができる。上述の通り、両者の接着性を優先して粘着テープを選択することができるため、例えば体表面に直接使用するには（接着性または成分が）強すぎる粘着剤を用いた粘着テープでも使用できる。
この構成では、体表面上の水分や油分の影響が従来よりも軽減されるという点において、第１の取付部材１０２１と第２の取付部材２０３とが剥がれてしまった場合の再装着性を改善できるが、自在に着脱することは難しい。
【００３０】
なお、粘着剤によって収容部１１０と体表面装着部２００とを取り付ける場合、必ずしも第１および第２の取付部材１０２１および２０３は必要ない。例えば、体表面装着部２００の粘着シート２０２の収容部１１０側の面にも粘着剤を塗布し、フィルム１０２を直接貼り付ける構成としてもよい。また、第１および第２の取付部材１０２１および２０３の一方のみに粘着剤を用い、他方は粘着剤との接着性が良好な、接着面に粘着剤を有さない任意の部材としてもよい。
【００３１】
（２）機械的な係合対を用いる構成
面ファスナーのループ側とフック側、ホックの雄側（頭側）と雌側（ダボ側）等の、係合対を用いる構成である。面ファスナーを用いる場合で、第１および第２の取付部材１０２１および２０３を設ける場合には、粘着剤でフィルム１０２および粘着シート２０２に雄（雌）側のシートと雌（雄）側のシートを取り付けることができる。ホックを用いる場合には、ホックの部品を粘着テープなどでフィルム１０２および粘着シート２０２に取り付けることができる。
【００３２】
この構成では容易に着脱が可能であり、再装着性に優れるという利点がある。特に面ファスナーを用いた構成では、ホックのように取り付け時に位置を合わせる必要がないことや、第２の取付部材２０３を第１の取付部材１０２１より大きくすることで、収容部１１０の取り付け位置を調整することが容易であるといった利点がある。後者の効果については、ホックを用いる場合も、第２の取付部材２０３側に第１の取付部材１０２１側よりも多くの部品を予め取り付けておくことで、実現することができる。
【００３３】
なお、面ファスナーを用いる場合、フィルム１０２や粘着シート２０２の基材に面ファスナーのループもしくはフックを形成することもできる。換言すれば、面ファスナーを構成するシートで、収容部１１０や体表面装着部２００の一部を構成することができる。この場合には、第１および第２の取付部材１０２１および２０３の少なくとも一方は必要ない。
【００３４】
（３）吸着シートを用いる構成
また、表面に多数の微細な吸盤もしくは吸盤として機能する穴が形成されるような吸着シートまたはフィルムを、フィルム１０２および粘着シート２０２の基材の少なくとも一方に用いることができる。この場合も第１および第２の取付部材１０２１および２０３の少なくとも一方は必要ない。あるいは、第１および第２の取付部材１０２１および２０３の少なくとも一方として吸着シートを用いてもよい。
【００３５】
本実施形態の携帯ケースを使用してホルタ心電計を体表面に取り付ける場合、まず、おおよその装着位置を決定する。例えば、電極やセンサを所定の位置に取り付けたのち、そのコードが体動によって引っ張られない位置を装着位置とすることができる。そして、体表面装着部２００の剥離シート２０１を剥がして、装着位置に粘着シート２０２を貼り付ける。その後、収容部１１０に電子機器を収容して蓋部１０１１，１０２３を閉じ合わせる。第１および第２の取付部材１０２１および２０３が粘着テープを用いる構成の場合は、剥離シートを剥がす。そして、第１の取付部材１０２１を第２の取付部材２０３に取り付けることで、収容部１１０を体表面装着部２００（粘着シート２０２）に取り付ける。電極やセンサ等のコードを電子機器に接続したのち、ベルト１０３の両端を接続する。なお、これらの手順は一例であり、他の任意の手順で取付を行ってもよい。
【００３６】
図２は、本実施形態の携帯ケースの使用状態を模式的に示した図である。ここでは、収容部１１０にホルタ心電計を収容する前に収容部１１０を体表面装着部２００に取り付けた場合を示しているが、上述のように先に収容部１１０にホルタ心電計を収容してから体表面装着部２００に取り付けてもよい。
【００３７】
以上説明したように、本実施形態によれば、電子機器用の携帯ケースを、電子機器用を収容する収容部と、収容部とは別個の、体表面に取り付ける体表面装着部とに分離し、収容部を体表面装着部に取り付ける構成とした。そのため、体表面との接着性を体表面接着部において確保しながら、収容部と体表面装着部とを様々な方法で取り付けることが可能であり、剥がれにくさや再装着性の改善が可能である。
【００３８】
なお、上述の通り、本発明は防水型のホルタ心電計用の使い捨て型携帯ケースへの適用に限定されず、収容部と体表面装着部とに分離するという技術思想は、使い捨て型でない携帯ケースや防水型でない携帯ケース、医療電子機器以外の電子機器用の携帯ケースに対しても適用可能である。
【００３９】
また、上述の実施形態では、収容部１１０が電子機器をほぼ完全に収容する形態について説明したが、少なくとも一部を収容可能であればよい。例えば、図３に示すように、装着時に被験者の体表面側に位置しないフィルム１０１については面積を小さく形成してもよい。
また、収容部１１０は、例えばスマートフォンのカバーもしくはバンパーケースのように、電子機器を表示部が露出するように収容するカバーのような形態であってもよい。換言すれば、収容部１１０は電子機器を保持可能な任意の形態であってよい。
【図１】
2015134113.tif 000003
【図２】
2015134113.tif 000004
【図３】
2015134113.tif 000005